【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
内部に光学系を備えるハウジングと、
前記光学系を構成する光学部材の一部の光学部材の姿勢を予め定めた状態に維持させるために前記一部の光学部材を前記ハウジングに対して角度変位可能に保持する保持手段と、
前記保持手段によって角度変位した前記一部の光学部材の姿勢を戻す向きに前記一部の光学部材を角度変位させる駆動手段と、
前記駆動手段の駆動量を制御する制御手段とを有し、
前記制御手段は、前記保持手段による前記一部の光学部材の角度変位情報を検出するための検出手段と、前記ハウジングに加わる振動に対して予め定められた複数の制御方法のうち、前記検出手段により検出した情報をもとに前記ハウジングに加わっている振動に対して適する制御方法を判定する判定手段とを有することを特徴とする像安定化装置。
【請求項２】
前記像安定化装置は、前記判定手段により、前記ハウジングに加わっている振動に対して適すると判定された前記制御方法をユーザに通知する通知部を具えることを特徴とする請求項１に記載の像安定化装置。
【請求項３】
前記像安定化装置は、前記通知部で通知された制御方法に基づいて、ユーザが任意のモードを選択し切り換えができることを特徴とする請求項２に記載の像安定化装置。
【請求項４】
前記検出手段が検出する前記角度変位情報は、前記保持手段の角速度及び／又は角度変位量に関する情報であり、前記判定手段で行なわれる判定は、予め定められた基準値と前記角度変位情報を比較して行われることを特徴とする請求項１または２に記載の像安定化装置。
【請求項５】
前記像安定化装置は、前記検出手段で検出した角度変位情報に基づき、前記判定手段が判定した制御方法に自動的に切り替わる自動切り換えモードと、前記制御方法をユーザが選択可能なモードとをユーザが選択できることを特徴とする請求項１または２に記載の像安定化装置。
【請求項６】
前記像安定化装置は、前記検出手段の検出結果を予め定めた第１の演算方法で演算することにより前記駆動量を求める第１演算手段と、前記検出手段の検出結果を予め定めた第２の演算方法で演算することにより前記駆動量を求める第２演算手段と、前記第１および第２演算手段のうち、前記ハウジングに加わっている振動に対して適する演算手段を判定する前記判定手段とを含むことを特徴とする請求項１または２に記載の像安定化装置。
【請求項７】
左右一対の接眼光学系と、
左右一対の対物光学系と、
前記接眼光学系と前記対物光学系との間の光軸上に設置された中間光学系と、
前記接眼光学系と前記対物光学系と前記中間光学系を具えるハウジングと、
前記中間光学系を構成する一部の光学部材の姿勢を予め定めた状態に維持させるために前記一部の光学部材を前記ハウジングに対して角度変位可能に保持する保持手段と、
前記保持手段によって角度変位した前記一部の光学部材の姿勢を戻す向きに前記一部の光学部材を角度変位させる駆動手段と、前記駆動手段の駆動量を制御する制御手段とを有し、
前記制御手段は、前記保持手段による前記一部の光学部材の角度変位情報を検出するための検出手段と、前記ハウジングに加わる振動に対して予め定められた複数の制御方法のうち、前記検出手段により検出した情報をもとに前記ハウジングに加わっている振動に対して適する制御方法を判定する判定手段と、前記判定手段により前記ハウジングに加わっている振動に対して適すると判定された前記制御方法をユーザに通知する通知部と、
を有することを特徴とする双眼鏡。
【手続補正２】
【補正対象書類名】明細書
【補正対象項目名】０００６
【補正方法】変更
【補正の内容】
【０００６】
【課題を解決するための手段】
前記目的を達成するため、本発明の第１の態様によれば、以下のような像安定化装置が提供される。すなわち、
内部に光学系を備えるハウジングと、前記光学系を構成する光学部材の一部の光学部材の姿勢を予め定めた状態に維持させるために前記一部の光学部材を前記ハウジングに対して角度変位可能に保持する保持手段と、前記保持手段によって角度変位した前記一部の光学部材の姿勢を戻す向きに前記一部の光学部材を角度変位させる駆動手段と、
前記駆動手段の駆動量を制御する制御手段とを有し、
前記制御手段は、前記保持手段による前記一部の光学部材の角度変位情報を検出するための検出手段と、前記ハウジングに加わる振動に対して予め定められた複数の制御方法のうち、前記検出手段により検出した情報をもとに前記ハウジングに加わっている振動に対して適する制御方法を判定する判定手段とを有することを特徴とする像安定化装置である。
また、本発明の他の態様によれば、以下のような像安定化装置が提供される。すなわち、
内部に光学系を備えるハウジングと、前記光学系を構成する光学部材の一部の光学系の姿勢を慣性系に対して維持させるために、前記一部の光学部材を前記ハウジングに対して角度変位可能に保持する保持手段と、前記保持手段によって角度変位した前記一部の光学部材の姿勢を戻す向きに前記一部の光学部材を角度変位させる駆動手段と、前記駆動手段の駆動量を制御する制御手段とを有し、
前記制御手段は、前記保持手段による前記一部の光学部材の角度変位情報を検出するための検出手段と、前記検出手段の検出結果を予め定めた第１の演算方法で演算することにより前記駆動量を求める第１演算手段と、前記検出手段の検出結果を予め定めた第２の演算方法で演算することにより前記駆動量を求める第２演算手段と、前記第１および第２演算手段のうち、前記ハウジングに加わっている振動に対して適する演算手段を判定する判定手段とを含み、
前記判定手段は、前記検出手段の検出結果を予め定めた基準値と比較することにより、前記判定を行うことを特徴とする像安定化装置である。
【手続補正３】
【補正対象書類名】明細書
【補正対象項目名】００１５
【補正方法】変更
【補正の内容】
【００１５】
上記像安定化装置において、前記モード選択部は、ユーザが前記第１モードおよび第２モードのいずれかを選択するためのボタンを有する構成にすることができ、前記視野内の前記表示部の表示するマークの形状は、該ボタンの形状と対応させることができる。
また、本発明のさらに他の態様によれば、以下のような双眼鏡が提供される。すなわち、
左右一対の接眼光学系と、左右一対の対物光学系と、前記接眼光学系と前記対物光学系との間の光軸上に設置された中間光学系と、前記接眼光学系と前記対物光学系と前記中間光学系を具えるハウジングと、前記中間光学系を構成する一部の光学部材の姿勢を予め定めた状態に維持させるために前記一部の光学部材を前記ハウジングに対して角度変位可能に保持する保持手段と、前記保持手段によって角度変位した前記一部の光学部材の姿勢を戻す向きに前記一部の光学部材を角度変位させる駆動手段と、前記駆動手段の駆動量を制御する制御手段とを有し、
前記制御手段は、前記保持手段による前記一部の光学部材の角度変位情報を検出するための検出手段と、前記ハウジングに加わる振動に対して予め定められた複数の制御方法のうち、前記検出手段により検出した情報をもとに前記ハウジングに加わっている振動に対して適する制御方法を判定する判定手段と、前記判定手段により前記ハウジングに加わっている振動に対して適すると判定された前記制御方法をユーザに通知する通知部と、を有することを特徴とする双眼鏡である。